(57)【要約】 【課題】歯の間に溜まった異物を取り除くことができる櫛を提供する。【解決手段】  本発明の櫛は、本体と前記本体から伸びる歯を有する。この櫛は前記歯を包囲する孔が形成されたバーを有する歯クリーナを更に有する。前記バーと前記歯は互いに相対的に移動可能であり、これにより、櫛の歯の間に溜まった異物を取り除く。更に、前記バーを前記櫛の本体近傍に通常状態で配置するスプリング要素を更に有し、これにより通常は櫛を使用できる状態にあり、前記バーを前記スプリング要素に抗して引くことにより前記歯の間に溜まった異物を取り除く。【選択図】  図１
2013504399.tif 000002
【特許請求の範囲】
【請求項１】
本体と前記本体から伸びる歯を有する櫛に於いて、
前記歯を包囲する孔が形成されたバーを有する歯クリーナを更に有し、
前記バーと前記歯は互いに相対的に移動可能である
ことを特徴とする歯の間に溜まった異物を取り除くことができる櫛。
【請求項２】
前記バーを前記櫛の本体近傍に配置するスプリング要素を更に有し、
前記スプリング要素が、解放状態の時は、櫛を使用できる状態にあり、
前記バーを前記スプリング要素に抗して押し上げることにより、前記歯の間に溜まった異物を取り除く
ことを特徴とする請求項１記載の櫛。
【請求項３】
前記バーを前記櫛の本体にロックするロック手段を有し、
前記ロック手段を解除すると、前記歯の間に溜まった異物が除去される
ことを特徴とする請求項１記載の櫛。
【請求項４】
前記バーを前記歯に沿って移動するのを制限する制限要素を更に有し、
これにより、前記バーは前記歯により保持される
ことを特徴とする請求項１記載の櫛。
【請求項５】
前記バーの孔は長さＬを有し、前記バーは、前記歯の先端に達し、
これにより、前記バーが、前記歯の間に溜まった異物を除去する
ことを特徴とする請求項１記載の櫛。
【請求項６】
前記歯クリーナは、取り外し可能である
ことを特徴とする請求項１記載の櫛。
【請求項７】
前記櫛の歯を洗浄する方法に於いて、
（Ａ）櫛の歯を包囲する孔を有するバーを用意するステップと、
（Ｂ）前記バーを前記歯に沿って、前記櫛の本体から離す方向に押し上げるステップと、
を有する
ことを特徴とする櫛の歯の間に溜まった異物を除去する方法。
【請求項８】
（Ｃ）前記バーを前記櫛の本体方向に引き下げるステップ
を更に有する
ことを特徴とする請求項７記載の方法。
【請求項９】
（Ｄ）前記バーを前記櫛の本体近傍でロックするステップ
を更に有する
ことを特徴とする請求項８記載の方法。
【発明の詳細な説明】
【技術分野】
【０００１】
本発明は、櫛に関し、特にノミ取り用の櫛とその櫛を洗浄する方法に関する。
【背景技術】
【０００２】
櫛は本体とこの本体から伸びる歯とを有する。ノミ取り用の櫛の歯は、ノミ、ノミの卵或いは他の好ましくないものを除去する為に、密度が高い。
【０００３】
櫛をノミを除去するために用いる場合には、特に使用後は綺麗にしておかなければならない。これは、従来、手、髪、水で濯ぐこと或いは他の手段で行われていた。
【０００４】
これ等の手段は櫛にとって後から付けるものであり、美的ではなく、ノミを櫛でとることは、余り好ましい動作とは言えなかった。
【発明の概要】
【発明が解決しようとする課題】
【０００５】
櫛を洗浄する問題、特にノミ取り用の櫛を洗浄する問題に対する満足すべき解決方法は未だ見出されていない。
【０００６】
本発明の目的は、櫛とノミ取り用の櫛を洗浄する方法を提供することである。本発明は、上記の解決方法を提供し、更に従来の問題点に対する解決法を提供する。
【課題を解決するための手段】
【０００７】
本発明の一実施例によれば、櫛２は、本体８と前記本体から伸びる歯４を有する。前記櫛２は、前記歯４を包囲する孔が形成されたバー６を有する歯クリーナ１４を更に有する。前記バー６と前記歯４は互いに相対的に移動可能であり、これにより、櫛の歯４の間に溜まった異物を取り除くことができる。
本発明の一実施例によれば、前記櫛２は、前記バー６を前記櫛の本体近傍に通常状態で配置するスプリング要素１８を更に有する。前記スプリング要素１８が解放状態の時は、櫛を使用できる状態にあり、前記バー６を前記スプリング要素１８に抗して押し上げることにより、前記歯の間に溜まった異物を取り除くことができる。
本発明の一実施例によれば、前記櫛２は、前記バー６を前記櫛の本体８にロックするロック手段１２を有する。前記ロック手段１２を解除すると、前記歯の間に溜まった異物が除去される。
本発明の一実施例によれば、前記櫛２は、前記バー６を前記歯４に沿って移動するのを制限する制限要素２４を更に有し、これにより、前記バー６は前記歯４により保持される（外れない）。
本発明の一実施例によれば、前記バー６の孔は長さＬの深さがあり、前記歯の先端に保持されながら達する。これにより、前記バー６が、前記歯の間に溜まった異物を除去する。
本発明の一実施例によれば、前記歯クリーナ１４は、取り外し可能である。
本発明の一実施例によれば、櫛の歯を洗浄する方法は、
（Ａ）櫛の歯を包囲する孔を有するバーを用意するステップと、
（Ｂ）前記バーを前記歯に沿って、前記櫛の本体から離す方向に引くステップと、
を有する。
本発明の一実施例によれば、櫛の歯を洗浄する方法は、（Ｃ）前記バーを前記櫛の本体方向に引くステップを更に有する。
本発明の一実施例によれば、櫛の歯を洗浄する方法は、（Ｄ）前記バーを前記櫛の本体近傍でロックするステップを更に有する。
【図面の簡単な説明】
【０００８】
【図１】本発明の一実施例によるノミ取り用の櫛の斜視図。
【図２】ロック状態にある図１のノミ取り用の櫛の斜視図。
【図３】分解した状態にある図１のノミ取り用櫛の斜視図。
【図４】図１のノミ取り用櫛の断面図。
【図５】本発明の他の実施例によるノミ取り用櫛の断面図。
【図６】洗浄状態にある図５のノミ取り用櫛の断面図。
【発明を実施するための形態】
【０００９】
本明細書に於いて用語「上方向」、「下方向」、「上部」、「底部」は、歯が上を向いて櫛の本体が下にある状態（図１に示す状態）に於いて定義した用語である。
図１に於いて、本発明の一実施例によれば、ダニ除去用或いはノミ取り用の櫛２は、櫛の本体８と、そこから伸びる歯４と、歯クリーナ１４とを有する。歯クリーナ１４は、歯クリーナ１４を上下することにより、櫛２の歯４の汚れを落とす（洗浄する）。具体的には、歯クリーナ１４を櫛の歯４に沿って本体８から離れる方向に移動させることにより、汚れを落とす。
歯クリーナ１４の孔２０は歯４を包囲する。斯して孔２０と櫛の歯４との相対運動により櫛の歯４をきれいにする。歯クリーナ１４の全ての孔２０或いはその一部は、櫛の歯４に沿って動く。バー６が孔２０を結合している。歯クリーナ１４を下方向に移動させると、ロック手段１２が、歯クリーナ１４をロック状態にする。
【００１０】
図２（ロック状態）に於いて、櫛２は、一般的なノミ取り用の櫛として機能する。使用者は、櫛の歯の間がノミ、ごみ、髪の毛で埋まるで、髪を櫛でとかす。
従来の洗浄方法とは異なり、本発明によれば、ロック設定／解除ハンドル１０は、歯クリーナ１４のロックを外して、歯クリーナ１４を開放し、歯クリーナ１４を図１に示す状態まで持ち上げて、ノミ、ごみ、髪の毛を櫛の歯４の間から取り除く。
【００１１】
図３に於いて、本発明の一実施例によれば、弾性要素１８が、歯クリーナ１４の孔２０を櫛の歯４の底部即ち櫛２の本体８の近傍に、配置させる（押し込む）。これは、櫛で髪をとかすことが出来る位置である。
斯して、櫛の歯４の洗浄は、歯クリーナ１４を弾性要素１８に抗して持ち上げることにより行われる。歯クリーナ１４を離すと、歯クリーナ１４は、弾性要素１８により或いは手動により、下方に動き、髪をすける状態に戻る。
本発明の一実施例によれば、歯クリーナ１４は、本体８と歯４から取り外し可能である。図３によれば、トラック１６が本体８内に形成されている。
本発明の一実施例によれば、この（歯クリーナ１４を本体８と櫛の歯４から取り外す）分解は、歯クリーナ１４の動きを制限する制限要素２４を、弾性要素１８に抗して、洗浄状態を越えて更に持ち上げることにより、行われる。斯して、歯クリーナ１４の孔２０は、櫛の歯４の先端より上方に上がり、外れる。
歯クリーナ１４の本体８への再組み立ては、歯クリーナ１４の制限要素２４を、トラック１６内に挿入して、制限要素２４を弾性要素１８に抗して立ち上げ、孔２０が歯４を包囲して、下げることにより行われる。
【００１２】
図４において、孔２０を有する歯クリーナ１４は、歯４を具備した本体８に対し相対的に移動可能である。制限要素２４は、本体８のトラック１６内を移動する。その結果、孔２０は櫛の歯４の全長の大部分を洗浄する。
本発明の一実施例によれば、各孔２０は長さＬである。制限要素２４は、孔２０が上方に動くのを制限し、その結果、孔２０の頂部４４は、歯４の先端４２の所定の高さに達する或いはそれを超える。その結果、櫛の歯４は孔２０に嵌ったままでいられる。斯して櫛の歯４の全長が洗浄される。
歯クリーナ１４の孔２０を歯４の底にロックするロック手段１２（図１）は、リセス３８に嵌る突起部２６を有する。歯クリーナ１４の孔２０が歯４の底に押し込められると、制限要素２４の突起部２６はリセス３８内に入り、歯クリーナ１４をその位置にロックする。
【００１３】
図５に於いて、孔２０を有する歯クリーナ１４は、櫛の歯４を有する本体８に対し相対的に移動可能である。制限要素２４は歯クリーナ１４のトラック１６内を移動可能である。
歯クリーナ１４を櫛の歯の底部の方向に押し込む（櫛を使用できる状態）と、制限要素２４の突起部２６は、歯クリーナ１４のリセス３８内に嵌り、歯クリーナ１４と本体８をその位置に保持する。
【００１４】
図６に於いて、櫛の歯４は、歯クリーナ１４の孔２０により洗浄された状態を示す。櫛の歯４は、この状態から歯クリーナ１４の外側に移動しない（外れない）。
【００１５】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００１６】
２  櫛
４  櫛の歯
６  バー
８  本体
１０  ロック設定／解除ハンドル
１２  ロック手段
１４  歯クリーナ
１６  トラック
１８  弾性要素
２０  歯の周囲の孔
２４  制限要素
２６  突起部
３８  リセス
４２  歯の先端
４４  孔の頂部
【図１】
2013504399.tif 000003
【図２】
2013504399.tif 000004
【図３】
2013504399.tif 000005
【図４】
2013504399.tif 000006
【図５】
2013504399.tif 000007
【図６】
2013504399.tif 000008
【国際調査報告】
2013504399.tif 000009